(57)【要約】      （修正有）【課題】実用温度で粘度が低く、蒸発損失が少なく、酸化安定性も向上された流体動圧軸受用潤滑油組成物及びこれを利用したＨＤＤ用モータを提供する。【解決手段】下記式で表されるアルコールと、Ｃ２〜１６の線状または分枝状飽和脂肪族モノカルボン酸とのエステル化反応により得られる総炭素数２６から４０の脂肪族モノカルボン酸エステルを基油として含む流体動圧軸受用潤滑油組成物。2013079357.tif 000021（式中、Ｒ１及びＲ２はＣ１〜１０の線状または分枝状アルキルグループである。）【選択図】なし【特許請求の範囲】
【請求項１】
下記［化学式１］で表されるアルコールと、炭素数２から１６の線状（Ｓｔｒａｉｇｈｔ）または分枝状（Ｂｒａｎｃｈｅｄ）飽和脂肪族モノカルボン酸とのエステル化反応により得られる総炭素数２６から４０の脂肪族モノカルボン酸エステルを基油として含む流体動圧軸受用潤滑油組成物。
化学式１
【化１】
2013079357.tif 000017
ここで、前記Ｒ１及びＲ２は互いに同一または異なる炭素数１から１０の線状（Ｓｔｒａｉｇｈｔ）または分枝状（Ｂｒａｎｃｈｅｄ）アルキルグループである。
【請求項２】
前記脂肪族モノカルボン酸エステルは下記［化学式２］で表される請求項１に記載の流体動圧軸受用潤滑油組成物。
化学式２
【化２】
2013079357.tif 000018
ここで、前記Ｒ３、Ｒ４及びＲ５は互いに同一または異なる炭素数１から１０の線状（Ｓｔｒａｉｇｈｔ）または分枝状（Ｂｒａｎｃｈｅｄ）アルキルグループである。
【請求項３】
前記アルコールは、ヘキサデカン−７−オール（Ｈｅｘａｄｅｃａｎ−７−ｏｌ）である請求項１に記載の流体動圧軸受用潤滑油組成物。
【請求項４】
前記脂肪族モノカルボン酸エステルはヘプタデカン−７−イルデカノエート（Ｈｅｐｔａｄｅｃａｎ−７−ｙｌ  Ｄｅｃａｎｏａｔｅ）、ヘプタデカン−７−イルノナノエート（Ｈｅｐｔａｄｅｃａｎ−７−ｙｌ  Ｎｏｎａｎｏａｔｅ）、ウンデカン−５−イルヘキサノエート（Ｕｎｄｅｃａｎ−５−ｙｌ  Ｈｅｘａｎｏａｔｅ）及びデカン−５−イルヘキサノエート（Ｄｅｃａｎ−５−ｙｌ  Ｈｅｘａｎｏａｔｅ）からなる群より選択される一つ以上である請求項１に記載の流体動圧軸受用潤滑油組成物。
【請求項５】
前記流体動圧軸受用潤滑油組成物は、オイル酸化防止剤０．０１から２重量部をさらに含む請求項１に記載の流体動圧軸受用潤滑油組成物。
【請求項６】
前記オイル酸化防止剤は２，２’−メチレン−ビス（４−メチル−６−ｔｅｒｔ−ブチルフェノール）（２，２’−ｍｅｔｈｙｌｅｎｅ−ｂｉｓ（４−ｍｅｔｈｙｌ−６−ｔｅｒｔ−ｂｕｔｙｌｐｈｅｎｏｌ））である請求項５に記載の流体動圧軸受用潤滑油組成物。
【請求項７】
前記流体動圧軸受用潤滑油組成物は、金属酸化防止剤０．０１から２重量部をさらに含む請求項１に記載の流体動圧軸受用潤滑油組成物。
【請求項８】
前記金属酸化防止剤はバリウムジフェニルアミン−４−スルホネート（Ｂａｒｉｕｍ  ｄｉｐｈｅｎｙｌａｍｉｎｅ−４−ｓｕｌｆｏｎａｔｅ）である請求項７に記載の流体動圧軸受用潤滑油組成物。
【請求項９】
前記流体動圧軸受用潤滑油組成物は、耐圧防止剤０．０１から２重量部をさらに含む請求項１に記載の流体動圧軸受用潤滑油組成物。
【請求項１０】
前記耐圧防止剤は、リン酸トリクレシル（Ｔｒｉｃｒｅｓｙｌ  Ｐｈｏｓｐｈａｔｅ）である請求項９に記載の流体動圧軸受用潤滑油組成物。
【請求項１１】
下記［化学式１］で表されるアルコールと、炭素数２から１６の線状（Ｓｔｒａｉｇｈｔ）または分枝状（Ｂｒａｎｃｈｅｄ）飽和脂肪族モノカルボン酸とのエステル化反応により得られる総炭素数２６から４０の脂肪族モノカルボン酸エステルを基油として含む流体動圧軸受用潤滑油組成物を含むＨＤＤ用モータ。
化学式１
【化３】
2013079357.tif 000019
ここで、前記Ｒ１及びＲ２は互いに同一または異なる炭素数１から１０の線状（Ｓｔｒａｉｇｈｔ）または分枝状（Ｂｒａｎｃｈｅｄ）アルキルグループである。
【請求項１２】
前記脂肪族モノカルボン酸エステルは下記［化学式２］で表される請求項１１に記載のＨＤＤ用モータ。
化学式２
【化４】
2013079357.tif 000020
ここで、前記Ｒ３、Ｒ４及びＲ５は互いに同一または異なる炭素数１から１０の線状（Ｓｔｒａｉｇｈｔ）または分枝状（Ｂｒａｎｃｈｅｄ）アルキルグループである。
【請求項１３】
前記アルコールは、ヘキサデカン−７−オール（Ｈｅｘａｄｅｃａｎ−７−ｏｌ）である請求項１１に記載のＨＤＤ用モータ。
【請求項１４】
前記脂肪族モノカルボン酸エステルはヘプタデカン−７−イルデカノエート（Ｈｅｐｔａｄｅｃａｎ−７−ｙｌ  Ｄｅｃａｎｏａｔｅ）、ヘプタデカン−７−イルノナノエート（Ｈｅｐｔａｄｅｃａｎ−７−ｙｌ  Ｎｏｎａｎｏａｔｅ）、ウンデカン−５−イルヘキサノエート（Ｕｎｄｅｃａｎ−５−ｙｌ  Ｈｅｘａｎｏａｔｅ）及びデカン−５−イルヘキサノエート（Ｄｅｃａｎ−５−ｙｌ  Ｈｅｘａｎｏａｔｅ）からなる群より選択される一つ以上である請求項１１に記載のＨＤＤ用モータ。
【請求項１５】
前記流体動圧軸受用潤滑油組成物は、オイル酸化防止剤０．０１から２重量部をさらに含む請求項１１に記載のＨＤＤ用モータ。
【請求項１６】
前記オイル酸化防止剤は２，２’−メチレン−ビス（４−メチル−６−ｔｅｒｔ−ブチルフェノール）（２，２’−ｍｅｔｈｙｌｅｎｅ−ｂｉｓ（４−ｍｅｔｈｙｌ−６−ｔｅｒｔ−ｂｕｔｙｌｐｈｅｎｏｌ））である請求項１５に記載のＨＤＤ用モータ。
【請求項１７】
前記流体動圧軸受用潤滑油組成物は、金属酸化防止剤０．０１から２重量部をさらに含む請求項１１に記載のＨＤＤ用モータ。
【請求項１８】
前記金属酸化防止剤は、バリウムジフェニルアミン−４−スルホネート（Ｂａｒｉｕｍ  ｄｉｐｈｅｎｙｌａｍｉｎｅ−４−ｓｕｌｆｏｎａｔｅ）である請求項１７に記載のＨＤＤ用モータ。
【請求項１９】
前記流体動圧軸受用潤滑油組成物は、耐圧防止剤０．０１から２重量部をさらに含む請求項１１に記載のＨＤＤ用モータ。
【請求項２０】
前記耐圧防止剤は、リン酸トリクレシル（Ｔｒｉｃｒｅｓｙｌ  Ｐｈｏｓｐｈａｔｅ）である請求項１９に記載のＨＤＤ用モータ。
【発明の詳細な説明】
【技術分野】
【０００１】
本発明は粘度が低く、蒸発損失が少なく、酸化安定性も向上された流体動圧軸受用潤滑油組成物及びこれを利用したＨＤＤ用モータに関する。
【背景技術】
【０００２】
情報保存装置の１つであるハードディスクドライブ（ＨＤＤ；Ｈａｒｄ  Ｄｉｓｋ  Ｄｒｉｖｅ）は、記録再生ヘッド（ｒｅａｄ／ｗｒｉｔｅ  ｈｅａｄ）を用いてディスクに保存されたデータを再生したり、ディスクにデータを記録する装置である。
【０００３】
このようなハードディスクドライブはディスクを駆動させるディスク駆動装置が必要で、上記ディスク駆動装置には小型スピンドルモータが用いられる。
【０００４】
小型スピンドルモータには流体動圧軸受アセンブリーが用いられており、上記流体動圧軸受アセンブリーの回転部材の一つであるシャフトと固定部材の一つであるスリーブの間には潤滑流体が介在され、上記潤滑流体から生じる流体圧力によりシャフトを支持する。
【０００５】
スピンドルモータが回転する時、潤滑流体が、低温で粘度が高いと、モータの回転時に生じる動力発生溝に対する潤滑流体の粘性抵抗が大きくなり、結果的にモータの電力損失が大きくなる。
【０００６】
逆に、モータが回転する時、潤滑流体が、高温領域で熱膨脹及び粘度が低下すると、支持する役割を十分に果たせないという問題がある。
【０００７】
このことから、潤滑流体は、低温領域では低い粘度で保持され、高温領域では粘度が低下しない相反する粘度の挙動特性が求められる。
【０００８】
このような粘度特性を満たすために、特定のエステル（Ｅｓｔｅｒ）化合物を主成分とする基油に酸化防止剤や極圧添加剤などの物質を添加するなど、様々な開発が行われている。
【０００９】
しかし、上記様々な添加剤を使用した潤滑流体は、初期には効果を示すが、長期間使用すると、潤滑剤が蒸発し、粘度特性が変わって、このような効果を保持し続けることは困難である。
【００１０】
また、モータが小型化、高精密化、高速回転化、低消費電力化するにつれ、潤滑流体も耐熱性、酸化安定性、低蒸発性及び摩耗防止性などの特性が求められている。
【００１１】
上記基油は、低粘度化すると、蒸発損失の大きくなる傾向があるため、実用温度で低粘度、かつ蒸発損失が抑制される基油が求められている。
【発明の概要】
【発明が解決しようとする課題】
【００１２】
本発明は粘度が低く、蒸発損失が少なく、酸化安定性も向上された流体動圧軸受用潤滑油組成物及びこれを利用したＨＤＤ用モータに関する。
【課題を解決するための手段】
【００１３】
本発明による流体動圧軸受用潤滑油組成物は、下記化学式１で表されるアルコールと、炭素数２から１６の線状（Ｓｔｒａｉｇｈｔ）または分枝状（Ｂｒａｎｃｈｅｄ）飽和脂肪族モノカルボン酸とのエステル化反応により得られる総炭素数２６から４０の脂肪族モノカルボン酸エステルを基油として含むことができる。
【００１４】
化学式１
【化１】
2013079357.tif 000002
【００１５】
ここで、上記Ｒ１及びＲ２は互いに同一または異なる炭素数１から１０の線状（Ｓｔｒａｉｇｈｔ）または分枝状（Ｂｒａｎｃｈｅｄ）アルキルグループである。
【００１６】
上記脂肪族モノカルボン酸エステルは、下記化学式２で表される流体動圧軸受用潤滑油組成物であることができる。
【００１７】
化学式２
【化２】
2013079357.tif 000003
【００１８】
ここで、上記Ｒ３、Ｒ４及びＲ５は互いに同一または異なる炭素数１から１０の線状（Ｓｔｒａｉｇｈｔ）または分枝状（Ｂｒａｎｃｈｅｄ）アルキルグループである。
【００１９】
また、上記アルコールは、ヘキサデカン−７−オール（Ｈｅｘａｄｅｃａｎ−７−ｏｌ）であることができる。
【００２０】
上記脂肪族モノカルボン酸エステルは、ヘプタデカン−７−イルデカノエート（Ｈｅｐｔａｄｅｃａｎ−７−ｙｌ  Ｄｅｃａｎｏａｔｅ）、ヘプタデカン−７−イルノナノエート（Ｈｅｐｔａｄｅｃａｎ−７−ｙｌ  Ｎｏｎａｎｏａｔｅ）、ウンデカン−５−イルヘキサノエート（Ｕｎｄｅｃａｎ−５−ｙｌ  Ｈｅｘａｎｏａｔｅ）及びデカン−５−イルヘキサノエート（Ｄｅｃａｎ−５−ｙｌ  Ｈｅｘａｎｏａｔｅ）からなる群より選択される一つ以上であることができる。
【００２１】
上記流体動圧軸受用潤滑油組成物は、オイル酸化防止剤０．０１から２重量部をさらに含むことができ、上記オイル酸化防止剤は２，２’−メチレン−ビス（４−メチル−６−ｔｅｒｔ−ブチルフェノール）（２，２’−ｍｅｔｈｙｌｅｎｅ−ｂｉｓ（４−ｍｅｔｈｙｌ−６−ｔｅｒｔ−ｂｕｔｙｌｐｈｅｎｏｌ））であることができる。
【００２２】
上記流体動圧軸受用潤滑油組成物は、金属酸化防止剤０．０１から２重量部をさらに含むことができ、上記金属酸化防止剤はバリウムジフェニルアミン−４−スルホネート（Ｂａｒｉｕｍ  ｄｉｐｈｅｎｙｌａｍｉｎｅ−４−ｓｕｌｆｏｎａｔｅ）であることができる。
【００２３】
上記流体動圧軸受用潤滑油組成物は、耐圧防止剤０．０１から２重量部をさらに含むことができ、上記耐圧防止剤はリン酸トリクレシル（Ｔｒｉｃｒｅｓｙｌ  Ｐｈｏｓｐｈａｔｅ）であることができる。
【００２４】
本発明によるＨＤＤ用モータは、下記化学式１で表されるアルコールと、炭素数２から１６の線状（Ｓｔｒａｉｇｈｔ）または分枝状（Ｂｒａｎｃｈｅｄ）飽和脂肪族モノカルボン酸とのエステル化反応により得られる総炭素数２６から４０の脂肪族モノカルボン酸エステルを基油として含む流体動圧軸受用潤滑油組成物を含むことができる。
【００２５】
化学式１
【化３】
2013079357.tif 000004
【００２６】
ここで、上記Ｒ１及びＲ２は互いに同一または異なる炭素数１から１０の線状（Ｓｔｒａｉｇｈｔ）または分枝状（Ｂｒａｎｃｈｅｄ）アルキルグループである。
【００２７】
上記脂肪族モノカルボン酸エステルは下記化学式２で表される流体動圧軸受用潤滑油組成物であることができる。
【００２８】
化学式２
【化４】
2013079357.tif 000005
【００２９】
ここで、上記Ｒ３、Ｒ４及びＲ５は互いに同一または異なる炭素数１から１０の線状（Ｓｔｒａｉｇｈｔ）または分枝状（Ｂｒａｎｃｈｅｄ）アルキルグループである。
【００３０】
また、上記アルコールはヘキサデカン−７−オール（Ｈｅｘａｄｅｃａｎ−７−ｏｌ）であることができる。
【００３１】
上記脂肪族モノカルボン酸エステルは、ヘプタデカン−７−イルデカノエート（Ｈｅｐｔａｄｅｃａｎ−７−ｙｌ  Ｄｅｃａｎｏａｔｅ）、ヘプタデカン−７−イルノナノエート（Ｈｅｐｔａｄｅｃａｎ−７−ｙｌ  Ｎｏｎａｎｏａｔｅ）、ウンデカン−５−イルヘキサノエート（Ｕｎｄｅｃａｎ−５−ｙｌ  Ｈｅｘａｎｏａｔｅ）及びデカン−５−イルヘキサノエート（Ｄｅｃａｎ−５−ｙｌ  Ｈｅｘａｎｏａｔｅ）からなる群より選択される一つ以上であることができる。
【００３２】
上記流体動圧軸受用潤滑油組成物は、オイル酸化防止剤０．０１から２重量部をさらに含むことができ、上記オイル酸化防止剤は２，２’−メチレン−ビス（４−メチル−６−ｔｅｒｔ−ブチルフェノール）（２，２’−ｍｅｔｈｙｌｅｎｅ−ｂｉｓ（４−ｍｅｔｈｙｌ−６−ｔｅｒｔ−ｂｕｔｙｌｐｈｅｎｏｌ））であることができる。
【００３３】
上記流体動圧軸受用潤滑油組成物は、金属酸化防止剤０．０１から２重量部をさらに含むことができ、上記金属酸化防止剤はバリウムジフェニルアミン−４−スルホネート（Ｂａｒｉｕｍ  ｄｉｐｈｅｎｙｌａｍｉｎｅ−４−ｓｕｌｆｏｎａｔｅ）であることができる。
【００３４】
上記流体動圧軸受用潤滑油組成物は、耐圧防止剤０．０１から２重量部をさらに含むことができ、上記耐圧防止剤はリン酸トリクレシル（Ｔｒｉｃｒｅｓｙｌ  Ｐｈｏｓｐｈａｔｅ）であることができる。
【発明の効果】
【００３５】
本発明によると、実用温度で粘度が低く、蒸発損失が少なく、酸化安定性も向上された流体動圧軸受用潤滑油組成物を含んでＨＤＤ用モータを製作することで、モータの長期間使用による信頼性を向上させることができる。
【図面の簡単な説明】
【００３６】
【図１】本発明の一実施形態による流体動圧軸受アセンブリーを含むＨＤＤ用モータを示した概略断面図である。
【発明を実施するための形態】
【００３７】
本発明の実施形態は様々な他の形態に変形されることができ、本発明の範囲は以下で説明する実施形態に限定されない。また、本発明の実施形態は当業界で平均的な知識を有する者に本発明をより完全に説明するために提供されるものである。従って、図面における要素の形状及びサイズなどは、より明確な説明のために誇張されることがあり、図面上に同じ符号で示される要素は同じ要素である。
【００３８】
以下、添付の図面を参照して本発明の好ましい実施形態を説明する。
【００３９】
図１は、本発明の一実施形態による流体動圧軸受アセンブリーを含むＨＤＤ用モータを示した概略断面図である。
【００４０】
図１を参照すると、本発明の一実施形態による流体動圧軸受用潤滑油組成物１７０は下記［化学式１］で表されるアルコールと、炭素数２から１６の線状（Ｓｔｒａｉｇｈｔ）または分枝状（Ｂｒａｎｃｈｅｄ）飽和脂肪族モノカルボン酸とのエステル化反応により得られる総炭素数２６から４０の脂肪族モノカルボン酸エステルを基油として含むことができる。
【００４１】
化学式１
【化５】
2013079357.tif 000006
【００４２】
ここで、上記Ｒ１及びＲ２は互いに同一または異なる炭素数１から１０の線状（Ｓｔｒａｉｇｈｔ）または分枝状（Ｂｒａｎｃｈｅｄ）アルキルグループである。
【００４３】
以下で、上記構成について詳しく説明する。
【００４４】
上記[化学式１]で表されるアルコールにおいて、Ｒ１及びＲ２は特に制限されず、炭素数１から１０で、互いに同一または異なる整数であってもよい。
【００４５】
また、上記Ｒ１及びＲ２はアルキルグループであれば、特に制限されず、線状（Ｓｔｒａｉｇｈｔ）または分枝状（Ｂｒａｎｃｈｅｄ）の構造を有することができる。
【００４６】
本発明の一実施形態によると、上記アルコールは２次アルコール系で、２次アルコールであれば、特に制限されず、例えば、上記アルコールはヘキサデカン−７−オール（Ｈｅｘａｄｅｃａｎ−７−ｏｌ）であることができる。
【００４７】
一方、上記飽和脂肪族モノカルボン酸は特に制限されず、例えば、炭素数２から１６の線状（Ｓｔｒａｉｇｈｔ）または分枝状（Ｂｒａｎｃｈｅｄ）であることができる。
【００４８】
具体的な例としては、ｎ−二酸（ｎ−ｄｉａｃｉｄ）、ｎ−三酸（ｎ−ｔｒｉａｃｉｄ）、ｎ−テトラ酸（ｎ−ｔｅｔｒａ  ａｃｉｄ）、ｎ−ペンタン酸（ｎ−ｐｅｎｔａｎｅ  ａｃｉｄ）、ｎ−ヘキサン酸（ｎ−ｈｅｘａｎｅ  ａｃｉｄ）、ｎ−ヘプタン酸（ｎ−ｈｅｐｔａｎｅ  ａｃｉｄ）、ｎ−オクタン酸（ｎ−ｏｃｔａｎｅ  ａｃｉｄ）、ｎ−ノナン酸（ｎ−ｎｏｎａｎｅ  ａｃｉｄ）、ｎ−デカン酸（ｎ−ｄｅｃａｎｅ  ａｃｉｄ）、ｎ−ウンデカン酸（ｎ−ｕｎｄｅｃａｎｅ  ａｃｉｄ）、ｎ−ドデカン酸（ｎ−ｄｏｄｅｃａｎｅ  ａｃｉｄ）、ｎ−トリデカン酸（ｎ−ｔｒｉｄｅｃａｎｅ  ａｃｉｄ）、ｎ−テトラデカン酸（ｎ−ｔｅｔｒａｄｅｃａｎｅ  ａｃｉｄ）、ｎ−ペンタデカン酸（ｎ−ｐｅｎｔａｄｅｃａｎｅ  ａｃｉｄ）、ｎ−ヘキサデカン酸（ｎ−ｈｅｘａｄｅｃａｎｅ  ａｃｉｄ）、ｉｓｏ−二酸（ｉｓｏ−ｄｉａｃｉｄ）、ｉｓｏ−三酸（ｉｓｏ−ｔｒｉａｃｉｄ）、ｉｓｏ−テトラ酸（ｉｓｏ−ｔｅｔｒａ  ａｃｉｄ）、ｉｓｏ−ペンタン酸（ｉｓｏ−ｐｅｎｔａｎｅ  ａｃｉｄ）、ｉｓｏ−ヘキサン酸（ｉｓｏ−ｈｅｘａｎｅ  ａｃｉｄ）、ｉｓｏ−ヘプタン酸（ｉｓｏ−ｈｅｐｔａｎｅ  ａｃｉｄ）、ｉｓｏ−オクタン酸（ｉｓｏ−ｏｃｔａｎｅ  ａｃｉｄ）、ｉｓｏ−ノナン酸（ｉｓｏ−ｎｏｎａｎｅ  ａｃｉｄ）、ｉｓｏ−デカン酸（ｉｓｏ−ｄｅｃａｎｅ  ａｃｉｄ）、ｉｓｏ−ウンデカン酸（ｉｓｏ−ｕｎｄｅｃａｎｅ  ａｃｉｄ）、ｉｓｏ−ドデカン酸（ｉｓｏ−ｄｏｄｅｃａｎｅ  ａｃｉｄ）、ｉｓｏ−トリデカン酸（ｉｓｏ−ｔｒｉｄｅｃａｎｅ  ａｃｉｄ）、ｉｓｏ−テトラデカン酸（ｉｓｏ−ｔｅｔｒａｄｅｃａｎｅ  ａｃｉｄ）、ｉｓｏ−ペンタデカン酸（ｉｓｏ−ｐｅｎｔａｄｅｃａｎｅ  ａｃｉｄ）及びｉｓｏ−ヘキサデカン酸（ｉｓｏ−ｈｅｘａｄｅｃａｎｅ  ａｃｉｄ）であることができ、これに制限されない。
【００４９】
本発明の一実施形態による流体動圧軸受用潤滑油組成物１７０は、上記［化学式１］で表されるアルコールと上記炭素数２から１６の線状（Ｓｔｒａｉｇｈｔ）または分枝状（Ｂｒａｎｃｈｅｄ）飽和脂肪族モノカルボン酸とのエステル化反応により得られる脂肪族モノカルボン酸エステルを基油として含むことができる。
【００５０】
上記脂肪族モノカルボン酸エステルは特に制限されないが、例えば、総炭素数が２６から４０であることができる。
【００５１】
上記脂肪族モノカルボン酸エステルは、下記［化学式２］で表されることができる。
【００５２】
化学式２
【化６】
2013079357.tif 000007
【００５３】
ここで、上記Ｒ３、Ｒ４及びＲ５は互いに同一または異なる炭素数１から１０の線状（Ｓｔｒａｉｇｈｔ）または分枝状（Ｂｒａｎｃｈｅｄ）アルキルグループである。
【００５４】
上記［化学式２］で表される脂肪族モノカルボン酸エステルにおいて、Ｒ３、Ｒ４及びＲ５は特に制限されず、炭素数１から１０で、互いに同一または異なる整数であってもよい。
【００５５】
また、上記Ｒ３、Ｒ４及びＲ５はアルキルグループであれば、特に制限されず、線状（Ｓｔｒａｉｇｈｔ）または分枝状（Ｂｒａｎｃｈｅｄ）の構造を有することができる。
【００５６】
具体的には、ヘプタデカン−７−イルデカノエート（Ｈｅｐｔａｄｅｃａｎ−７−ｙｌ  Ｄｅｃａｎｏａｔｅ）、ヘプタデカン−７−イルノナノエート（Ｈｅｐｔａｄｅｃａｎ−７−ｙｌ  Ｎｏｎａｎｏａｔｅ）、ウンデカン−５−イルヘキサノエート（Ｕｎｄｅｃａｎ−５−ｙｌ  Ｈｅｘａｎｏａｔｅ）及びデカン−５−イルヘキサノエート（Ｄｅｃａｎ−５−ｙｌ  Ｈｅｘａｎｏａｔｅ）からなる群より選択される一つ以上であることができるが、これに制限されない。
【００５７】
上記脂肪族モノカルボン酸エステルの具体的な例は、下記［化学式３］から［化学式６］で表されることができる。
【００５８】
化学式３
【化７】
2013079357.tif 000008
【００５９】
化学式４
【化８】
2013079357.tif 000009
【００６０】
化学式５
【化９】
2013079357.tif 000010
【００６１】
化学式６
【化１０】
2013079357.tif 000011
【００６２】
本発明の一実施形態による上記脂肪族モノカルボン酸エステルの動粘度は、４０℃で、８から９センチストローク（ｃＳｔ）であることができ、０℃、４０℃及び１００℃の粘度を同時に測定することができる。
【００６３】
上記粘度はＢｒｏｏｋｆｉｅｌｄ  ＤＢ−ＩＩＩ  Ｒｈｅｏｍｅｔｅｒ粘度計を使用して測定することができ、温度による傾向を確認するために、各々の成分に対し、３つの温度（０℃、４０℃及び１００℃）で測定することができる。
【００６４】
本発明の一実施形態によると、上記脂肪族モノカルボン酸エステルはＮＰＧ（Ｎｅｏｐｅｎｔｙｌｇｌｙｃｏｌ）系或いはジエステル（Ｄｉｅｓｔｅｒ）系より粘度が低く、高温蒸発量も少ないことがある。
【００６５】
従って、上記脂肪族モノカルボン酸エステルを基油として使用する場合、低い粘度でありながら、装置の摩擦損失をさらに効果的に減らすことができ、蒸発量が少なくて高温での安定性に非常に優れる。
【００６６】
上記脂肪族モノカルボン酸エステルを基油として含む潤滑油組成物は特に制限されないが、例えば、ハードディスクドライブ（Ｈａｒｄ  Ｄｉｓｃ  Ｄｒｉｖｅ、ＨＤＤ）用モータの流体軸受として使用するのに適することができる。
【００６７】
小型ハードディスクドライブの場合、電力消耗量が少なくなければならず、モータが高速回転するため、高温での安定性が非常に重要な要素である。
【００６８】
本発明の一実施形態による上記潤滑油組成物は、摩擦損失が少なく、高温で安定性を有するため、小型ハードディスクの上記条件を満たすことができる。
【００６９】
上記流体動圧軸受用潤滑油組成物は、オイル酸化防止剤０．０１から２重量部をさらに含むことができ、上記オイル酸化防止剤は特に制限されず、例えば、２，２’−メチレン−ビス（４−メチル−６−ｔｅｒｔ−ブチルフェノール）（２，２’−ｍｅｔｈｙｌｅｎｅ−ｂｉｓ（４−ｍｅｔｈｙｌ−６−ｔｅｒｔ−ｂｕｔｙｌｐｈｅｎｏｌ））であることができる。
【００７０】
上記オイル酸化防止剤は、上記潤滑油組成物の性能を低下させない範囲内で０．０１から２重量部を含むことができ、０．０１重量部未満では、酸化防止剤を添加した効果が僅かで、２重量部を超えると、上記潤滑油組成物の性能を低下させることがある。
【００７１】
また、上記流体動圧軸受用潤滑油組成物は、金属酸化防止剤０．０１から２重量部をさらに含むことができ、上記金属酸化防止剤は特に制限されず、例えば、バリウムジフェニルアミン−４−スルホネート（Ｂａｒｉｕｍ  ｄｉｐｈｅｎｙｌａｍｉｎｅ−４−ｓｕｌｆｏｎａｔｅ）であることができる。
【００７２】
上記金属酸化防止剤の添加量が、０．０１重量部未満では、酸化安定の効果が僅かで、２重量部を超えると、上記潤滑油組成物の性能を低下させることがあるため、その添加量は０．０１から２重量部の範囲であることができる。
【００７３】
上記流体動圧軸受用潤滑油組成物は、耐圧防止剤０．０１から２重量部をさらに含むことができ、上記耐圧防止剤は特に制限されず、例えば、リン酸トリクレシル（Ｔｒｉｃｒｅｓｙｌ  Ｐｈｏｓｐｈａｔｅ）であることができる。
【００７４】
上記耐圧防止剤の添加量が、０．０１重量部未満では、耐圧防止の効果が僅かで、２重量部を超えると、上記潤滑油組成物の性能を低下させることがあるため、その添加量は０．０１から２重量部の範囲であることができる。
【００７５】
本発明の他の実施形態によるＨＤＤ用モータは下記［化学式１］で表されるアルコールと、炭素数２から１６の線状（Ｓｔｒａｉｇｈｔ）または分枝状（Ｂｒａｎｃｈｅｄ）飽和脂肪族モノカルボン酸とのエステル化反応により得られる総炭素数２６から４０の脂肪族モノカルボン酸エステルを基油として含む流体動圧軸受用潤滑油組成物を含むことができる。
【００７６】
化学式１
【化１１】
2013079357.tif 000012
【００７７】
ここで、上記Ｒ１及びＲ２は互いに同一または異なる炭素数１から１０の線状（Ｓｔｒａｉｇｈｔ）または分枝状（Ｂｒａｎｃｈｅｄ）アルキルグループである。
【００７８】
以下では、本発明の他の実施形態によるＨＤＤ用モータについて詳しく説明するが、上述の本発明の一実施形態における説明と重なる部分の説明は省略する。
【００７９】
上記ＨＤＤ用モータ４００は固定部材１２０、１４０と回転部材１１０、１３０、２１２の間にオイルシーリング部１６０が形成されることができ、特に、スリーブ（ｓｌｅｅｖｅ）１２０、スラスト（ｔｈｒｕｓｔ）プレート１３０及びキャップ部材（ｃａｐ）１４０の間に形成されることができる。
【００８０】
上記キャップ部材１４０は上記スラストプレート１３０の上側から圧入されて上記スラストプレート１３０との間で潤滑流体がシーリングされるようにする部材であり、上記スラストプレート１３０と上記スリーブ１２０に圧入されるように内径方向に溝が形成されることができる。
【００８１】
上記キャップ部材１４０には、潤滑流体がシーリングされるようにするために、下面に突出部が形成されてよく、これはモータが駆動するとき、潤滑流体が外部に漏れることを防止するために毛細管現象及び潤滑流体の表面張力を利用したものである。
【００８２】
一方、本発明の他の実施形態によるＨＤＤ用モータ４００はシャフト１１０、スリーブ１２０、スラストプレート１３０、キャップ部材１４０及びオイルシーリング部１６０を含むことができる。
【００８３】
上記スリーブ１２０は、上記シャフト１１０の上端が軸方向の上側に突出するように上記シャフト１１０を支持することができ、ＣｕまたはＡｌを鍛造したり、Ｃｕ−Ｆｅ系合金粉末またはＳＵＳ系粉末を焼結して形成することができる。
【００８４】
ここで、上記シャフト１１０は上記スリーブ１２０の軸孔と微小隙間を有するように挿入され、上記微小隙間には潤滑流体が充填され、上記シャフト１１０の外径及び上記スリーブ１２０の内径のうち少なくとも一つに形成されるラジアル動圧溝により上記ローター２００の回転をさらに滑らかに支持することができる。
【００８５】
上記ラジアル動圧溝は上記スリーブ１２０の軸孔の内部である上記スリーブ１２０の内側面に形成され、上記シャフト１１０の回転時に片方に偏向するように圧力を形成させることができる。
【００８６】
但し、上記ラジアル動圧溝は上述のように上記スリーブ１２０の内側面に設けられることに限らず、上記シャフト１１０の外径部に設けられてもよく、個数にも制限がない。
【００８７】
上記スリーブ１２０にはスリーブ１２０の上部と下部を連通するように形成されるバイパスチャンネル１２５を備え、流体動圧軸受アセンブリー１００の内部の潤滑流体の圧力を分散させて平衡が保持できるようにし、上記流体動圧軸受アセンブリー１００の内部に存在する気泡などを循環により排出されるように移動させることができる。
【００８８】
ここで、上記スリーブ１２０の下部には、隙間を保持した状態で上記スリーブ１２０と結合し、上記隙間には潤滑流体を収容するカバープレート１５０が結合されてよい。
【００８９】
上記カバープレート１５０は、上記スリーブ１２０との間の隙間に潤滑流体を収容してそれ自体が上記シャフト１１０の下面を支持する軸受としての機能をすることができる。
【００９０】
上記スラストプレート１３０は上記スリーブ１２０の軸方向の上部に配置され、中央に備えられる孔に上記シャフト１１０が挿入されることができる。
【００９１】
このとき、上記スラストプレート１３０は別途に製造されて上記シャフト１１０と結合されることも、製造時から上記シャフト１１０と一体に形成されることもでき、上記シャフト１１０が回転運動する時、上記シャフト１１０に従って回転運動する。
【００９２】
また、上記スラストプレート１３０の上面には、上記シャフト１１０にスラスト動圧を提供するスラスト動圧溝が形成されてよい。
【００９３】
上記スラスト動圧溝は、上述のように、上記スラストプレート１３０の上面に形成されることに限定されず、上記スラストプレート１３０の下面に対応するスリーブ１２０の上面にも形成されてよい。
【００９４】
ステータ３００はコイル３２０、コア３３０及びベース部材３１０を含むことができる。
【００９５】
即ち、上記ステータ３００は、電源印加時に一定サイズの電磁気力を発生させるコイル３２０と、上記コイル３２０が巻線される複数のコア３３０とを備える固定構造物であることができる。
【００９６】
上記コア３３０はパターン回路が印刷された印刷回路基板（不図示）が備えられるベース部材３１０の上部に固定配置され、上記巻線コイル３２０と対応するベース部材３１０の上部面には上記巻線コイル３２０を下部に露出させるように一定サイズのコイル孔が複数貫通形成されてよく、上記巻線コイル３２０は外部電源が供給されるように上記印刷回路基板（不図示）と電気的に連結されることができる。
【００９７】
上記ベース部材３１０は上記スリーブ１２０の外周面が圧入されて固定され、上記コイル３２０が巻線されるコア３３０が挿入されることができ、上記ベース部材３１０の内面或いは上記スリーブ１２０の外面に接着剤を塗布して組み立てることができる。
【００９８】
上記ローター２００は、上記ステータ３００に対して回転可能に備えられる回転構造物であり、上記コア３３０と一定間隔を置いて対応する環状のマグネット２２０を内周面に備えるローターケース２１０を含むことができる。
【００９９】
また、上記マグネット２２０は円周方向にＮ極、Ｓ極が交互に着磁されて一定強さの磁気力を発生させる永久磁石であってよい。
【０１００】
ここで、上記ローターケース２１０はシャフト１１０の上端に圧入されて固定されるようにするハーブベース２１２及び上記ハーブベース２１２から外径方向に延長され軸方向の下側に折れ曲がって上記マグネット２２０を支持するマグネット支持部２１４からなることができる。
【０１０１】
本発明の他の実施形態によるＨＤＤ用モータは、上記流体動圧軸受用潤滑油組成物１７０を含むことで、低い粘度でありながら、装置の摩擦損失をさらに効果的に減らすことができ、蒸発量が少なくて高温での安定性が非常に優れる。
【０１０２】
また、実用温度で粘度が低く、蒸発損失が少なく、酸化安定性も向上された流体動圧軸受用潤滑油組成物を含んでＨＤＤ用モータを製作することで、モータの長期間使用による信頼性を向上させることができる。
【０１０３】
上記ＨＤＤ用モータ４００の製造方法は、上記流体動圧軸受用潤滑油組成物１７０を含むことを除き、一般的な製造方法と同一であってよい。
【０１０４】
以下、実施例を挙げて本発明をさらに詳しく説明するが、本発明はこれにより制限されない。
【０１０５】
（実施例）
実施例１はメルク（Ｍｅｒｃｋ）、ＴＣＩ社などで販売するヘキサデカン−７−オール（Ｈｅｘａｄｅｃａｎ−７−ｏｌ）を購入し、デカン酸（Ｄｅｃａｎｏｉｃ  ａｃｉｄ）と反応させて下の［化学式７］のようなヘキサデカン−７−イルデカノエート（Ｈｅｘａｄｅｃａｎ−７−ｙｌ  Ｄｅｃａｎｏａｔｅ）を合成した。
【０１０６】
化学式７
【化１２】
2013079357.tif 000013
【０１０７】
上記反応条件は、アルコールと酸を反応器に入れ、２００℃の温度で長期間放置した。上記反応は可逆反応であるため、反応中に発生する水を除去して反応がさらに早く起きるようにして行った。
【０１０８】
上記ヘキサデカン−７−イルデカノエート（Ｈｅｘａｄｅｃａｎ−７−ｙｌ  Ｄｅｃａｎｏａｔｅ）は全体重量比で約９５ｗｔ％を占め、残りの５ｗｔ％はその他の特性を向上させるための添加剤である。
【０１０９】
具体的には、オイルの酸化防止のために２，２’−メチレン−ビス（４−メチル−６−ｔｅｒｔ−ブチルフェノール）（２，２’−ｍｅｔｈｙｌｅｎｅ−ｂｉｓ（４−ｍｅｔｈｙｌ−６−ｔｅｒｔ−ｂｕｔｙｌｐｈｅｎｏｌ））を２ｗｔ％添加し、耐圧防止剤としてリン酸トリクレシル（Ｔｒｉｃｒｅｓｙｌ  Ｐｈｏｓｐｈａｔｅ）を２ｗｔ％添加した。
【０１１０】
また、オイルと接触する金属表面の酸化防止のためにバリウムジフェニルアミン−４−スルホネート（Ｂａｒｉｕｍ  ｄｉｐｈｅｎｙｌａｍｉｎｅ−４−ｓｕｌｆｏｎａｔｅ）を１ｗｔ％添加した。
【０１１１】
（比較例１、２）
比較例１はセバシン酸ジオクチル（Ｄｉｏｃｔｙｌ  Ｓｅｂａｃａｔｅ、ＤＯＳ）とエチルヘキシルオレイン酸（Ｅｔｈｙｌｈｅｘｙｌｏｌｅａｔｅ、ＥＨＯ）とのエステル化反応により潤滑油組成物を製造し、比較例２はジオクチルアジピン酸（Ｄｉｏｃｔｙｌａｄｉｐａｔｅ）を使用し、その他の添加剤の種類及び含量は実施例と同一である。
【０１１２】
上記比較例１及び２のエステルは下記［化学式８］及び［化学式９］で表されることができる。
【０１１３】
化学式８
【化１３】
2013079357.tif 000014
セバシン酸ジオクチル（Ｄｉｏｃｔｙｌ  Ｓｅｂａｃａｔｅ）
エチルヘキシルオレイン酸（Ｅｔｈｙｌｈｅｘｙｌｏｌｅａｔｅ）
【０１１４】
化学式９
【化１４】
2013079357.tif 000015
【０１１５】
下の［表１］は上記実施例及び比較例による潤滑油組成物の性能を比較するための粘度、及び信頼性を比較するための蒸発量を測定して比較したものである。
【０１１６】
上記粘度はＢｒｏｏｋｆｉｅｌｄ  ＤＢ−ＩＩＩ  Ｒｈｅｏｍｅｔｅｒ粘度計を使用して測定し、温度による傾向を確認するために各々の成分に対し、３つの温度（０℃、４０℃及び１００℃）で測定した。
【０１１７】
蒸発量の測定は、各成分を含む流体動圧軸受用潤滑油組成物をＳＵＳ材質の蒸発皿に５ｇずつ入れ、１００℃の恒温槽に入れて実験を行った。
【０１１８】
実験は１４４時間（６日）行い、蒸発皿に上記潤滑油組成物を入れた最初の重さと、１００℃で１４４時間経過後の重さを測定して蒸発量を比較した。
【０１１９】
【表１】
2013079357.tif 000016
【０１２０】
上記［表１］を参照すると、本発明による潤滑油組成物（実施例１）はモノ−ジエステル（Ｍｏｎｏ−Ｄｉｅｓｔｅｒ）混合系（比較例１）及びＮＰＧ（Ｎｅｏｐｅｎｔｙｌｇｌｙｃｏｌ）系（比較例２）より、粘度も低く、蒸発量も少ないことが分かる。
【０１２１】
従って、本発明の一実施形態によると、実用温度で粘度が低く、蒸発損失が少なく、酸化安定性も向上された流体動圧軸受用潤滑油組成物を含んでＨＤＤ用モータを製作することで、モータの長期間使用による信頼性を向上させることができる。
【０１２２】
本発明は上述した実施形態及び添付の図面により限定されるのではなく、添付の請求の範囲により限定される。従って、請求の範囲に記載された本発明の技術的思想から外れない範囲内で当技術分野の通常の知識を有する者により多様な形態の置換、変形及び変更が可能であり、これも本発明の範囲に属する。
【符号の説明】
【０１２３】
１００  流体動圧軸受アセンブリー
１１０  シャフト
１２０  スリーブ
１２５  バイパスチャンネル
１３０  スラストプレート
１４０  キャップ部材
１５０  カバープレート
１６０  オイルシーリング部
１７０  潤滑油組成物
２００  ローター
２１０  ローターケース
２１２  ハーブ
２１４  マグネット支持部
２２０  マグネット
３００  ステータ
３１０  ベース部材
３２０  巻線コイル
３３０  コア
４００  モータ
【図１】
2013079357.tif 000022